(57)【要約】【課題】開閉体に設けられた案内表示部の視認性の低下を抑制することができる記録装置及び画像読取装置を提供する。【解決手段】記録装置１１は、記録領域において記録を行う記録部１３と、壁部４４ａを有して記録部１３を収容する筐体部１２と、筐体部１２に対して開閉可能に取り付けられる開閉体１５と、を備える。開閉体１５は、閉位置において壁部４４ａと対向する一方で開位置において筐体部１２から離間する先端面２３を有し、先端面２３には案内表示部３０が設けられる。【選択図】図１
2014197049.tif 000002
【特許請求の範囲】
【請求項１】
記録領域において記録を行う記録部と、
壁部を有して前記記録部を収容する筐体部と、
該筐体部に対して開閉可能に取り付けられる開閉体と、
を備え、
前記開閉体は、閉位置において前記壁部と対向する一方で開位置において前記筐体部から離間する面を有し、
該面には案内表示部が設けられることを特徴とする記録装置。
【請求項２】
前記開閉体が開位置に配置されたときに前記筐体部に最も近い位置にある前記開閉体の端部を基端部とするとともに前記開閉体が開位置に配置されたときに前記筐体部から最も離間する前記開閉体の端部を先端部とすると、
前記案内表示部は、前記基端部から前記先端部に向かう延設方向における前記開閉体の中央よりも前記先端部側に設けられることを特徴とする請求項１に記載の記録装置。
【請求項３】
前記開閉体は、前記基端部を中心に回動して前記先端部が重力方向における上方に移動することで前記閉位置から開位置に移動し、
前記開閉体を前記開位置に保持するための保持機構をさらに備えることを特徴とする請求項２に記載の記録装置。
【請求項４】
前記筐体部には前記記録部の操作を行うための操作パネルが配置され、
前記開閉体が前記閉位置に配置された場合に、前記案内表示部は前記操作パネルの裏面側と対向することを特徴とする請求項１〜請求項３のうちいずれか一項に記載の記録装置。
【請求項５】
前記開閉体は、画像を読み取り可能な読取機構を収容する収容ケースを備えることを特徴とする請求項１〜請求項４のうち何れか一項に記載の記録装置。
【請求項６】
前記収容ケースは、前記開閉体が閉位置に配置された場合に前記記録領域と対向する底面と、該底面と交差する複数の側面とを有し、
前記案内表示部は、前記複数の側面のうち、前記開閉体が閉位置に配置された場合に前記壁部と対向する面に設けられることを特徴とすることを特徴とする請求項５に記載の記録装置。
【請求項７】
前記案内表示部には、前記筐体部内に配置される操作対象の操作方法に関する案内が表示され、
前記案内表示部は、前記操作対象の近くに位置する前記面に設けられることを特徴とする請求項１〜請求項６のうち何れか一項に記載の記録装置。
【請求項８】
記録領域において記録を行う記録部と、
壁部を有して前記記録部を収容する筐体部と、
前記筐体部に対して開閉可能に取り付けられる開閉体と、
を備え、
前記開閉体は、閉位置において前記壁部によって覆われる一方で開位置において前記筐体部から離間する面を有し、
該面には案内表示部が設けられることを特徴とする記録装置。
【請求項９】
原稿に記録された画像を読み取るための画像読取部と、
前記原稿を載置するための原稿台と、
壁部を有して前記画像読取部を収容する筐体部と、
前記筐体部に対して開閉可能に取り付けられる開閉体と、
を備え、
前記開閉体は、閉位置において前記原稿台と対向する押圧部と、閉位置において前記壁部との間に隙間を有して対向する一方で開位置において前記筐体部から離間する面とを有し、
該面には案内表示部が設けられることを特徴とする画像読取装置。
【発明の詳細な説明】
【技術分野】
【０００１】
本発明は、用紙などの媒体に対して記録を行う記録装置及び原稿の画像を読み取る画像読取装置に関する。
【背景技術】
【０００２】
記録装置の一例として、用紙等の媒体に対してカートリッジに収容されたインクを噴射することで印刷を行うインクジェット式のプリンターがある。こうしたプリンターにおいては、開閉可能なカバーの裏側にカートリッジの交換方法などを記載した案内板を貼り付け、カートリッジ交換のためにカバーを開けると案内板が露出するように構成することがある（例えば、特許文献１）。
【先行技術文献】
【特許文献】
【０００３】
【特許文献１】特開２０１２−１９６９３９号公報
【発明の概要】
【発明が解決しようとする課題】
【０００４】
ところで、上述のカバーは、閉位置にあるときにインクの噴射が行われる空間を覆っているため、カバーの裏側にはインクの噴射に伴って生じるミストが付着することがある。そのため、案内板をカバーの裏側に貼り付けると、インクのミストが付着して視認性が低下してしまうという課題がある。
【０００５】
なお、こうした視認性の低下は、インクのミストが付着する場合に限らず、空間内に浮遊する塵埃が案内板に付着して案内板の文字等が見え難くなったり、他の部材と接触することによって案内板の文字等が消えてしまったりする場合などにも生じる。
【０００６】
本発明は、こうした実情に鑑みてなされたものであり、その目的は、開閉体に設けられた案内表示部の視認性の低下を抑制することができる記録装置及び画像読取装置を提供することにある。
【課題を解決するための手段】
【０００７】
以下、上記課題を解決するための手段及びその作用効果について記載する。
上記課題を解決する記録装置は、記録領域において記録を行う記録部と、壁部を有して前記記録部を収容する筐体部と、該筐体部に対して開閉可能に取り付けられる開閉体と、を備え、前記開閉体は、閉位置において前記壁部と対向する一方で開位置において前記筐体部から離間する面を有し、該面には案内表示部が設けられる。
【０００８】
この構成によれば、案内表示部は、開閉体が閉位置にあるときには壁部と対向する位置に配置されるので、記録領域に浮遊する記録材や塵埃などが付着しにくい。したがって、開閉体に設けられた案内表示部の視認性の低下を抑制することができる。
【０００９】
また、案内表示部は、開閉体が開位置に配置されたときには筐体部から離間するので、視認しやすくなる。すなわち、案内表示部は、開閉体が閉位置にあるときは視認できず、開閉体が開位置に配置されたときに初めて視認可能となるため、ユーザーの注意を積極的に案内表示部に向けることができる。
【００１０】
上記記録装置において、前記開閉体が開位置に配置されたときに前記筐体部に最も近い位置にある前記開閉体の端部を基端部とするとともに前記開閉体が開位置に配置されたときに前記筐体部から最も離間する前記開閉体の端部を先端部とすると、前記案内表示部は、前記基端部から前記先端部に向かう延設方向における前記開閉体の中央よりも前記先端部側に設けられる。
【００１１】
この構成によれば、開閉体が開位置に配置された場合に、筐体部から最も離間する先端部側に案内表示部を設けることによって、案内表示部の視認性をよくすることができる。
上記記録装置において、前記開閉体は、前記基端部を中心に回動して前記先端部が重力方向における上方に移動することで前記閉位置から開位置に移動し、前記開閉体を前記開位置に保持するための保持機構をさらに備える。
【００１２】
この構成によれば、開閉体が閉位置から開位置に移動されると、案内表示部が設けられた面が筐体部から上方に離間して、視認しやすい位置に配置される。そのため、保持機構が開閉体を開位置に保持することによって、案内表示部の視認性を良好な状態に保持することができる。そして、開閉体の開位置への移動に伴って案内表示部が筐体部よりも上方に配置されることによって、ユーザーの目の高さよりも低い位置に筐体部が配置された場合にも、開閉体を開位置に配置して所定の操作を行う時に、案内表示部を良好な状態で視認することができる。
【００１３】
上記記録装置において、前記筐体部には前記記録部の操作を行うための操作パネルが配置され、前記開閉体が前記閉位置に配置された場合に、前記案内表示部は前記操作パネルの裏面側と対向する。
【００１４】
この構成によれば、案内表示部は開閉体が閉位置に配置された場合に操作パネルの裏面側と対向するので、記録材や塵埃などが付着しにくい。また、開閉体が閉位置にあるときには案内表示部が操作パネルによって隠されるので、案内表示部によって装置の美観を損ねることがない。
【００１５】
上記記録装置において、前記開閉体は、画像を読み取り可能な読取機構を収容する収容ケースを備える。
この構成によれば、開閉体は読取機構を収容するための厚みを有するので、案内表示部を設けるためのスペースを確保することができる。
【００１６】
上記記録装置において、前記収容ケースは、前記開閉体が閉位置に配置された場合に前記記録領域と対向する底面と、該底面と交差する複数の側面とを有し、前記案内表示部は、前記複数の側面のうち、前記開閉体が閉位置に配置された場合に前記壁部と対向する面に設けられる。
【００１７】
この構成によれば、案内表示部は、開閉体が閉位置に配置された場合に記録領域と対向する底面と交差する側面に設けられるので、記録材や塵埃などが付着しにくい。
上記記録装置において、前記案内表示部には、前記筐体部内に配置される操作対象の操作方法に関する案内が表示され、前記案内表示部は、前記操作対象の近くに位置する前記面に設けられる。
【００１８】
この構成によれば、操作対象の近くに案内表示部を設けることによって、操作対象の操作方法を効果的に表示することができる。
上記課題を解決する記録装置は、記録領域において記録を行う記録部と、壁部を有して前記記録部を収容する筐体部と、前記筐体部に対して開閉可能に取り付けられる開閉体と、を備え、前記開閉体は、閉位置において前記壁部によって覆われる一方で開位置において前記筐体部から離間する面を有し、該面には案内表示部が設けられる。
【００１９】
この構成によれば、案内表示部は、開閉体が閉位置にあるときには壁部によって覆われるので、記録領域に浮遊する記録材や塵埃などが付着しにくい。したがって、開閉体に設けられた案内表示部の視認性の低下を抑制することができる。
【００２０】
また、案内表示部は、開閉体が開位置に配置されたときには筐体部から離間するので、視認しやすくなる。すなわち、案内表示部は、開閉体が閉位置にあるときは視認できず、開閉体が開位置に配置されたときに初めて視認可能となるため、ユーザーの注意を積極的に案内表示部に向けることが可能である。
【００２１】
上記課題を解決する画像読取装置は、原稿に記録された画像を読み取るための画像読取部と、前記原稿を載置するための原稿台と、壁部を有して前記画像読取部を収容する筐体部と、前記筐体部に対して開閉可能に取り付けられる開閉体と、を備え、前記開閉体は、閉位置において前記原稿台と対向する押圧部と、閉位置において前記壁部との間に隙間を有して対向する一方で開位置において前記筐体部から離間する面とを有し、該面には案内表示部が設けられる。
【００２２】
押圧部は、画像を読み取るために閉位置に配置された場合に、原稿台との間に原稿を挟持するので、押圧部に案内表示部を設けると、案内表示部に記載された文字等が擦れて消えるなどして、視認性が低下する虞がある。その点、上記構成によれば、案内表示部は開閉体が閉位置に配置された場合に壁部との間に隙間を有して対向する位置に配置されるので、塵埃が付着したり、案内表示部の文字や図形などが擦れたりしにくい。したがって、開閉体に設けられた案内表示部の視認性の低下を抑制することができる。
【００２３】
また、案内表示部は、開閉体が開位置に配置されたときには筐体部から離間するので、視認しやすくなる。すなわち、案内表示部は、開閉体が閉位置にあるときは視認できず、開閉体が開位置に配置されたときに初めて視認可能となるため、ユーザーの注意を積極的に案内表示部に向けることが可能である。
【図面の簡単な説明】
【００２４】
【図１】第１実施形態の記録装置の断面図。
【図２】開閉体を開いた第１実施形態の記録装置の斜視図。
【図３】開閉体を閉じた第１実施形態の記録装置の斜視図。
【図４】第２実施形態の画像読取装置の側面図。
【図５】第１変形例の画像読取装置の正面図。
【図６】第２変形例の画像読取装置の側面図。
【図７】第３変形例の記録装置の側面図。
【図８】第４変形例の記録装置の側面図。
【図９】第５変形例の記録装置の側面図。
【図１０】第６変形例の記録装置の断面図。
【図１１】第７変形例の記録装置の断面図。
【図１２】第８変形例の記録装置の断面図。
【図１３】第９変形例の記録装置の側面図。
【発明を実施するための形態】
【００２５】
（第１実施形態）
まず、第１実施形態の記録装置について、図を参照して説明する。記録装置は、例えば媒体の一例である用紙に液体の一例であるインクを噴射することによって印刷を行うプリンターである。
【００２６】
図１に示すように、本実施形態の記録装置１１は、箱状の筐体部１２と、筐体部１２に収容された記録部１３と、筐体部１２に対してヒンジ１４を介して開閉可能に取り付けられる開閉体１５と、を備えている。
【００２７】
記録部１３は、移動方向Ｘ（図１においては紙面側から手前側に向かう方向）に沿って往復移動するキャリッジ１６と、キャリッジ１６に保持された噴射ヘッド１８とを備えている。キャリッジ１６には、記録材の一例である液体（例えば、インク）を噴射ヘッド１８に供給する液体供給源１７が搭載される。液体供給源１７は、例えばキャリッジ１６に着脱可能に装着されるカートリッジである。
【００２８】
記録部１３は、キャリッジ１６が往復移動しているときに、キャリッジ１６の移動領域内に設定された記録領域において噴射ヘッド１８が液体を噴射することで、用紙等の媒体Ｐに印刷を行う。なお、筐体部１２内には、記録部１３に向けて媒体Ｐを移動方向Ｘと交差する搬送方向（図１では右方向）Ｙに搬送する搬送機構１９を収容するのが好ましい。
【００２９】
開閉体１５は、筐体部１２とともに記録装置１１の筐体の一部を構成する外面２０と、閉位置において記録領域と対向する内面２１と、ヒンジ１４が設けられる基端面２２と、内面２１と交差する複数の側面２３，２４，２５とを有している。側面２３は、基端面２２の反対側に位置する先端面２３である。なお、図１においては、開閉体１５の奥側に位置する点線で番号を示す面が側面２４、開閉体１５の手前側に位置する二点鎖線で番号を示す面が側面２５になる。
【００３０】
開閉体１５の先端面２３には、案内表示部３０が設けられる。案内表示部３０には、筐体部１２内に配置される操作対象の操作方法に関する案内が表示される。なお、案内表示部３０は、操作対象の近くに位置する面に設けるのが好ましい。
【００３１】
例えば、操作対象が液体供給源１７であれば、液体供給源１７を装着するキャリッジ１６の近くに位置する先端面２３に案内表示部３０を設ける。この場合、案内表示部３０にはキャリッジ１６に対する液体供給源１７の着脱操作に関する案内が表示される。
【００３２】
開閉体１５は、原稿に記録された画像を読み取り可能な読取機構３１を収容する収容ケース３２と、収容ケース３２に嵌め込まれた原稿台３３と、原稿台３３を覆うように収容ケース３２に対して開閉可能に設けられた原稿カバー３４とを備えている。なお、本実施形態において、開閉体１５の外面２０は原稿カバー３４の外面（開閉体１５及び原稿カバー３４が図１に示す閉位置にあるときには上面）である。また、開閉体１５の基端面２２、先端面２３及び側面２４，２５は収容ケース３２の外側面である。
【００３３】
読取機構３１は、原稿台３３に載置された原稿に記録された画像を読み取るための画像読取部３５と、画像読取部３５を移動方向Ｘに沿って移動させるための駆動源３６とを備えている。駆動源３６は、例えばモーターである。
【００３４】
収容ケース３２において、原稿台３３と対向する位置にある底壁３７には、画像読取部３５の移動を案内するレール部３８と、移動する画像読取部３５及び駆動源３６を収容する収容部３９とが移動方向Ｘに延びるように形成されている。なお、本実施形態において、開閉体１５の内面２１は、開閉体１５が閉位置に配置された場合に記録領域と対向する底壁３７の底面である。そして、この底面は、収容ケース３２の複数の外側面である基端面２２、先端面２３及び側面２４，２５と交差している。
【００３５】
収容ケース３２の底壁３７には、収容部３９よりも搬送方向Ｙの下流側となる位置に、収容ケース３２の内側に向けて凹んだ第１凹部４１が移動方向Ｘに延びるように形成されている。また、収容ケース３２の底壁３７には、レール部３８よりも搬送方向Ｙの上流側となる位置に、収容ケース３２の内側に向けて凹んだ第２凹部４２が移動方向Ｘに延びるように形成されている。
【００３６】
筐体部１２は、搬送方向Ｙにおける下流側の端部（図１では右端部）から外方（本実施形態では重力方向Ｇにおける上方）に向けて突設された突出部４４を有している。突出部４４の表面側（図１では右面側）には、記録装置１１の操作を行うための操作パネル４５が配置される。また、開閉体１５が図１に示す閉位置に配置された場合に、開閉体１５の案内表示部３０が設けられた先端面２３は操作パネル４５の裏面側となる突出部４４の壁部４４ａと対向する。
【００３７】
開閉体１５は、基端面２２側となる基端部を中心に回動して先端面２３側となる先端部が重力方向における上方に移動することで、図１に示す閉位置から図２に示す開位置に移動する。そして、開閉体１５が有する先端面２３は、開閉体１５が閉位置に配置された場合に壁部４４ａと対向する一方で開閉体１５が開位置に配置された場合に筐体部１２から離間する。
【００３８】
図２に示すように、記録装置１１は、開閉体１５を開位置に保持するための保持機構４６を備える。保持機構４６は、開閉体１５の内面２１側に取り付けられたスタンド４７と、筐体部１２に嵌め込まれたスタンドケース４８とを有している。
【００３９】
スタンド４７は押圧面４９及び係合突部５０を有している一方で、スタンドケース４８は係合突部５０を係止可能な係止部５１を有している。スタンド４７の係合突部５０が係止部５１に係止されると、開閉体１５は開位置に保持される。
【００４０】
一方、開閉体１５を持ち上げた状態でスタンド４７の押圧面４９を押すと、係合突部５０の係止部５１に対する係止が解除される。そして、係合突部５０の係止が解除された状態で開閉体１５を開位置から閉位置に移動させると、スタンド４７がスタンドケース４８内に収容される。
【００４１】
次に、以上のように構成された記録装置１１の作用について説明する。
記録装置１１において液体の補充等のメンテナンス作業を行う場合には、開閉体１５を閉位置から開位置に移動させて、図２に示すように筐体部１２内の記録領域を視認可能な状態にする。
【００４２】
ここで、開閉体１５が開位置に配置されたときに筐体部１２に最も近い位置にある開閉体１５の端部を基端部とするとともに、開閉体１５が開位置に配置されたときに筐体部１２から最も離間する開閉体１５の端部を先端部とすると、案内表示部３０は基端部から先端部に向かう延設方向における開閉体１５の中央よりも先端部側に設けられている。
【００４３】
そのため、開閉体１５を閉位置から開位置に移動させると、開閉体１５の先端面２３に設けられた案内表示部３０が露出する。また、この状態でスタンド４７の係合突部５０を係止部５１に係止させると、開閉体１５が開位置に保持されるので、案内表示部３０がユーザーの目前に提示される態様となる。したがって、ユーザーは、例えば案内表示部３０に表示された液体供給源１７の着脱方法の案内を見ながら、液体供給源１７の交換などのメンテナンス作業を行うことができる。
【００４４】
一方、図３に示すように開閉体１５を閉位置に移動させると、案内表示部３０は筐体部１２に設けられた突出部４４の裏側に配置されるので、壁部４４ａに覆われて視認不能な状態となる。すなわち、メンテナンス作業を行わないときには、案内表示部３０が隠されるので、記録装置１１の美観を損ねることがない。
【００４５】
なお、筐体部１２内に設定される記録領域においては、開閉体１５が図１に示す閉位置にあるときに、液体の噴射を伴う記録が行われる。このとき、収容ケース３２の第１凹部４１及び第２凹部４２は記録領域に面しているため、第１凹部４１及び第２凹部４２の下方に形成される空間には、液体の噴射に伴って生じた微細な液滴であるミストが浮遊する。
【００４６】
そのため、第１凹部４１及び第２凹部４２を形成する底壁３７の下面である開閉体１５の内面２１に案内表示部３０を設けると、案内表示部３０にミストが付着して、視認性が低下する虞がある。
【００４７】
その点、案内表示部３０が設けられた先端面２３は、液体の噴射が行われるときに突出部４４と対向する位置に配置され、ミストが浮遊する記録領域に面しないので、液体の付着が抑制される。
【００４８】
また、筐体部１２は突出部４４を有するので、突出部４４よりも搬送方向Ｙにおける上流側に位置する筐体部１２の上面に案内表示部３０を設けると、案内表示部３０が突出部４４の陰になって視認性が低下する虞がある。
【００４９】
その点、案内表示部３０が設けられた先端面２３は、開閉体１５を開位置に移動させると突出部４４よりも上方に配置されるので、メンテナンス作業を行うユーザーの視野に入りやすい。
【００５０】
上記実施形態によれば、以下のような効果を得ることができる。
（１）案内表示部３０は、開閉体１５が閉位置にあるときには壁部４４ａと対向する位置に配置されるので、記録領域に浮遊する記録材であるインクミストや塵埃などが付着しにくい。したがって、開閉体１５に設けられた案内表示部３０の視認性の低下を抑制することができる。
【００５１】
（２）案内表示部３０は、開閉体１５が開位置に配置されたときには筐体部１２から離間するので、視認しやすくなる。すなわち、案内表示部３０は、開閉体１５が閉位置にあるときは視認できず、開閉体１５が開位置に配置されたときに初めて視認可能となるため、ユーザーの注意を積極的に案内表示部３０に向けることができる。
【００５２】
（３）開閉体１５が開位置に配置された場合に、筐体部１２から最も離間する先端部側に案内表示部３０を設けることによって、案内表示部３０の視認性をよくすることができる。
【００５３】
（４）開閉体１５が閉位置から開位置に移動されると、案内表示部３０が設けられた先端面２３が筐体部１２から上方に離間して、視認しやすい位置に配置される。そのため、保持機構４６が開閉体１５を開位置に保持することによって、案内表示部３０の視認性を良好な状態に保持することができる。そして、開閉体１５の開位置への移動に伴って案内表示部３０が筐体部１２よりも上方に配置されることによって、ユーザーの目の高さよりも低い位置に筐体部１２が配置された場合にも、開閉体１５を開位置に配置して所定の操作を行う時に、案内表示部３０を良好な状態で視認することができる。
【００５４】
（５）案内表示部３０は開閉体１５が閉位置に配置された場合に操作パネル４５の裏面側と対向するので、記録材であるインクのミストや塵埃などが付着しにくい。また、開閉体１５が閉位置にあるときには案内表示部３０が操作パネル４５によって隠されるので、案内表示部３０によって装置の美観を損ねることがない。
【００５５】
（６）開閉体１５を構成する収容ケース３２は読取機構３１を収容するための厚みを有するので、案内表示部３０を設けるためのスペースを確保することができる。
（７）案内表示部３０は、開閉体１５が閉位置に配置された場合に記録領域と対向する底壁３７の底面と交差する側面である先端面２３に設けられるので、記録材や塵埃などが付着しにくい。
【００５６】
（８）操作対象の近くに案内表示部３０を設けることによって、操作対象の操作方法を効果的に表示することができる。
（９）案内表示部３０は、開閉体１５が閉位置にあるときには壁部４４ａによって覆われるので、記録領域に浮遊する記録材や塵埃などが付着しにくい。したがって、開閉体１５に設けられた案内表示部３０の視認性の低下を抑制することができる。
【００５７】
（第２実施形態）
次に、第２実施形態の画像読取装置について、図を参照して説明する。
なお、発明を実施するための形態において、名称が同じで符号が異なる部材は、形状等に違いがあるが類似の機能を備えるものを示し、名称及び符号が同じ部材は、ほぼ同様の機能を備えるものを示す。
【００５８】
図４に示すように、本実施形態の画像読取装置７０は、原稿に記録された画像を読み取るための画像読取部３５を含む読取機構３１と、原稿を載置するための原稿台３３と、壁部４４ａを有して画像読取部３５を収容する筐体部７２と、筐体部７２に対して開閉可能に取り付けられる開閉体１５Ｃとを備えている。画像読取部３５は、図４において紙面と直交する移動方向Ｘに往復走査する。なお、本実施形態において、移動方向Ｘと直交する方向を前方向Ｆとする。
【００５９】
本実施形態の開閉体１５Ｃは、図４に二点鎖線で示す閉位置において原稿台３３と対向する押圧部６３ｄを有する原稿カバー６３である。また、開閉体１５Ｃは、基端面６３ｂと、基端面６３ｂの反対側に位置する先端面６３ａと、押圧部６３ｄと交差する側面６３ｃとを有している。
【００６０】
筐体部７２の前面側（図４では右面側）には、外方（本実施形態では重力方向Ｇにおける上方）に向けて突設された突出部４４が設けられている。筐体部７２の前面側には、突出部４４を含む部分に、画像読取装置７０の操作を行うための操作パネル４５が配置される。また、開閉体１５Ｃが閉位置に配置された場合に、開閉体１５Ｃの先端面６３ａは操作パネル４５の裏面側となる突出部４４の壁部４４ａと対向する。そして、開閉体１５Ｃの先端面６３ａには、原稿台３３への原稿の載置方法など、画像の読取操作に関する案内が表示された案内表示部３０が設けられる。
【００６１】
本実施形態において、開閉体１５Ｃが図４に実線で示す開位置に配置されたときに筐体部７２に最も近い位置にある開閉体１５Ｃの端部を基端部とするとともに、開閉体１５Ｃが開位置に配置されたときに筐体部７２から最も離間する開閉体１５Ｃの端部を先端部とする。そして、案内表示部３０は、基端部から先端部に向かう延設方向における開閉体１５の中央よりも先端部側に位置する先端面６３ａに設けられる。そして、開閉体１５Ｃが閉位置にあるとき、先端面６３ａは、突出部４４の壁部４４ａとの間に隙間を有して、壁部４４ａと対向する。
【００６２】
次に、以上のように構成された画像読取装置７０の作用について説明する。
画像読取装置７０において原稿の画像を読み取る場合には、まず開閉体１５Ｃを開位置に配置して、原稿台３３に原稿を載置する。続いて、開閉体１５Ｃを閉位置に配置して、押圧部６３ｄによって原稿を原稿台３３に押しつける。
【００６３】
ここで、開閉体１５Ｃの押圧部６３ｄは、開閉体１５Ｃが開位置に配置された場合に視認可能になるため、原稿の載置方法などを記載した案内表示部を押圧部６３ｄに設けておくと、その案内表示部は原稿を載置するときに視認可能になる。しかし、押圧部６３ｄは、画像の読取時に原稿や原稿台３３に接触するので、案内表示部に記載された文字等が消えてしまい、視認性が低下する虞がある。
【００６４】
その点、本実施形態の案内表示部３０は原稿や原稿台３３と接触しない先端面６３ａに設けられるので、視認性が低下が抑制される。また、開閉体１５Ｃを閉位置に移動させると、案内表示部３０は筐体部７２に設けられた突出部４４の裏側に配置されて壁部４４ａに覆われることによって、視認不能な状態となる。すなわち、操作パネル４５の後ろに案内表示部３０が隠されるので、画像読取装置７０の美観を損ねることがない。
【００６５】
上記第２実施形態によれば、上記（２）〜（５）の効果に加えて、以下のような効果を得ることができる。
（１０）案内表示部３０は開閉体１５が閉位置に配置された場合に壁部４４ａとの間に隙間を有して対向する位置に配置されるので、塵埃が付着したり、案内表示部３０の文字や図形などが擦れたりしにくい。したがって、開閉体１５に設けられた案内表示部３０の視認性の低下を抑制することができる。
【００６６】
なお、上記第２実施形態の画像読取装置は、以下に示す変形例のように変更してもよい。
・図５に示す第１変形例のように、移動方向Ｘにおける一端側に基端面６３ｂを配置するとともに移動方向Ｘにおける他端側に先端面６３ａを配置してもよい。そして、開閉体１５Ｃが図５に二点鎖線で示す閉位置にあるときに、突出部４４の壁部４４ａと対向する側面６３ｃに案内表示部３０を配置してもよい。この場合には、レール部３８の長手方向に沿って案内表示部３０を配置することができるので、案内表示部３０を設けるスペースを移動方向Ｘに沿って長く確保することができる。
【００６７】
・図６に示す第２変形例のように、画像読取装置７０の筐体部７２の上に、複数の原稿を連続的に原稿台３３上に搬送するための原稿搬送部６０を開閉体１５Ａとして設けてもよい。開閉体１５Ａは、図４に二点鎖線で示す閉位置において原稿台３３と対向する押圧部６０ｄと、基端面６０ｂと、基端面６０ｂの反対側に位置する先端面６０ａとを有している。そして、開閉体１５Ａの先端面６０ａに、原稿搬送部６０のメンテナンス方法など、原稿搬送部６０の操作に関する案内を表示する案内表示部３０を設ける。
【００６８】
この構成によれば、例えば、原稿搬送部６０によって搬送された原稿が搬送経路の途中で詰まった場合などに、詰まった原稿を除去するための手順を案内表示部３０に記載しておくことができる。これにより、詰まった原稿を除去するために開閉体１５Ａを開位置に配置したときに初めて案内表示部３０が視認可能となるので、ユーザーの注意を案内表示部３０に向けさせることができる。
【００６９】
また、上記第１実施形態の記録装置は、以下に示す変形例のように変形してもよい。
・図７に示す第３変形例の記録装置１１Ａのように、筐体部１２の上に読取機構３１を収容する収容ケース３２からなる開閉体１５Ｄを備えるとともに、開閉体１５Ｄの上に原稿搬送部６０からなる開閉体１５Ａを備えてもよい。すなわち、記録装置１１Ａは、記録部１３と、読取機構３１と、原稿搬送部６０とを備える複合機である。
【００７０】
そして、開閉体１５Ｄの先端面２３に読取機構３１及び記録装置１１Ａのうち少なくとも一方の案内を記載した案内表示部３０を設けるとともに、開閉体１５Ａの先端面６０ａに原稿搬送部６０及び読取機構３１のうち少なくとも一方の案内を記載した案内表示部３０を設ける。
【００７１】
・図８に示す第４変形例の記録装置１１Ａのように、筐体部１２の上に読取機構３１を収容する収容ケース３２を配置して、この収容ケース３２に突出部４４を設けてもよい。この場合には、収容ケース３２が壁部４４ａを有する筐体部となる。そして、操作パネル４５の裏面側となる突出部４４の壁部４４ａと対向する原稿搬送部６０の先端面６０ａに案内表示部３０を設ける。この構成を採用する場合には、記録装置１１Ａの筐体部１２に突出部４４を設けなくてもよい。
【００７２】
・図９に示す第５変形例の記録装置１１Ａのように、読取機構３１が筐体部１２内に収容される構成としてもよい。この場合にも、筐体部１２に対して開閉可能に設けられた原稿搬送部６０からなる開閉体１５Ａの先端面６０ａに案内表示部３０を設けることができる。
【００７３】
・図１０に示す第６変形例の記録装置１１Ｂのように、読取機構３１を備えず、記録装置１１Ｂの記録領域を覆う開閉蓋６１からなる開閉体１５Ｂを筐体部１２に対して開閉可能に取り付けてもよい。
【００７４】
本変形例の開閉蓋６１は、下面６１ａの一部が、図１０に二点鎖線で示す閉位置において筐体部１２に設けられた開口部１２ａを通じて記録領域に対向する。この場合にも、開口部１２ａから離間した下面６１ａの一部に案内表示部３０を設ければ、案内表示部３０に対するインクのミストの付着を抑制することができる。
【００７５】
・図１１に示す第７変形例のように、読取機構３１を備えない記録装置１１Ｂの筐体部１２に突出部４４を設けない構成にしてもよい。そして、開閉体１５Ｂとして機能する開閉蓋６１の下面６１ａの一部が、図１１に二点鎖線で示す閉位置において開口部１２ａを通じて記録領域に対向するようにしてもよい。この場合にも、閉位置において筐体部１２の外面と対向する下面６１ａの一部に案内表示部３０を設ければ、案内表示部３０に対するインクのミストの付着を抑制することができる。
【００７６】
・図１２に示す第８変形例のように、読取機構３１を備えない記録装置１１Ｂの開閉体１５Ｂとして機能する開閉蓋６１に、下面６１ａから突設された延設部６２を設けてもよい。そして、筐体部１２の前壁１２ｂからなる壁部４４ａと対向する延設部６２の前壁の外面６２ａ及び筐体部１２の側壁１２ｃからなる壁部４４ａと対向する延設部６２の側壁の外面６２ｂにそれぞれ案内表示部３０を設ける。
【００７７】
この構成によれば、開閉蓋６１の先端部に案内表示部を設けるスペースがない場合にも、延設部６２の外面６２ａ，６２ｂに案内表示部３０を設けることができる。なお、この構成において、延設部６２が前壁または側壁のいずれかを備えない構成としてもよい。
【００７８】
・図１３に示す第９変形例の記録装置１１Ｃのように、読取機構３１を筐体部１２内に収容するとともに、筐体部１２の上に開閉体１５Ｃとしての原稿カバー６３を設けてもよい。
【００７９】
さらに、上記した各実施形態及び各変形例は、以下の変更例のように変更してもよい。
また、上記した各実施形態及び各変形例並びに以下の変更例は、組み合わせが可能な場合には任意に組み合わせることができる。また、組み合わせの際には、必ずしも各実施形態または各変形例の全体同士を組み合わせる必要はなく、各実施形態または各変形例の構成の一部を省略して組み合わせを行うこともできる。
【００８０】
・案内表示部３０に表示する案内の内容は、任意に変更することができる。例えば、上記第１実施形態において、案内表示部３０にスタンド４７の操作方法を表示してもよいし、記録領域における紙詰まりの解消方法を表示してもよいし、記録装置１１のセットアップ方法を表示してもよい。なお、案内表示部３０に液体供給源１７の着脱操作に関する案内を記載しない場合などには、液体供給源１７がキャリッジ１６に搭載されないオフキャリッジ方式の記録装置１１を採用してもよい。
【００８１】
・上記第１実施形態において、スタンド４７及びスタンドケース４８を備えない構成としてもよい。この場合にも、例えば一定の角度を保持できるフリーストップ式のヒンジを採用すれば、このヒンジによって開閉体１５を開位置に保持することができる。
【００８２】
・突出部４４に操作パネル４５を配置しなくてもよい。
・開閉体１５，１５Ａ，１５Ｂ，１５Ｃ，１５Ｄを覆うカバーを備え、このカバーを開けたときに開閉体１５，１５Ａ，１５Ｂ，１５Ｃ，１５Ｄが視認可能になってもよい。
【００８３】
・第３変形例及び第４変形例に示すように、案内表示部３０が設けられる面は平面に限らず、曲面であったり、段差形状が設けられていたりしてもよい。また、開閉体１５，１５Ａ，１５Ｂ，１５Ｃ，１５Ｄが閉位置に配置された場合に、案内表示部３０の全てが壁部４４ａに対して対向しなくてもよい。例えば、案内表示部３０の一部が壁部４４ａに覆われずに、常時視認できる状態になっていてもよい。
【００８４】
・第６変形例に示すように、筐体部１２に設ける壁部４４ａの延設方向は鉛直方向に限らない。すなわち、水平方向に延びる壁部４４ａと対向する開閉体１５の面に案内表示部３０を設けてもよい。
【００８５】
・案内表示部３０が壁部４４ａと対向するとき、あるいは案内表示部３０が壁部４４ａに覆われるときには、案内表示部３０と壁部４４ａとの間に、開閉体１５，１５Ａ，１５Ｂ，１５Ｃ，１５Ｄの移動を許容するのに必要な隙間より大きな隙間があってもよい。この場合の隙間は、案内表示部３０の少なくとも一部が壁部４４ａによって隠されるように設定するのが好ましい。このようにすれば、ユーザーが開閉体１５，１５Ａ，１５Ｂ，１５Ｃ，１５Ｄを開位置に配置したときに初めて案内表示部３０が完全に視認可能となるので、ユーザーの注意を案内表示部３０に向けることができる。
【００８６】
・案内表示部３０の数や形状、配置などは任意に変更することができる。すなわち、案内表示部３０を設ける面の全体に案内表示部３０を配置してもいいし、面の一部にのみ案内表示部３０を配置してもよい。
【００８７】
・案内表示部３０に表示する案内は作業内容に係るものに限らず、例えば記録装置１１または画像読取装置７０に関する注意や構成部材の説明などを表示することもできる。また、案内表示部３０に表示する案内には、文字、図形、マーク、点字など、任意の表現を用いることができる。あるいは、案内表示部３０にメーカーのホームページのアドレスやコールセンターの電話番号など、ユーザーが問い合わせを簡単にできるような情報を表示することもできる。また、これら複数の案内事項は、まとめて１つの案内表示部３０に表示してもよいし、複数の案内表示部３０に分けて表示してもよい。
【００８８】
・案内表示部３０における案内の表示方法は任意に変更することができる。例えば、案内表示部３０に操作方法の案内を記載したシールを貼付してもよいし、案内を記載した案内板をねじ等の固定部材で固定してもよい。あるいは、開閉体１５の各面２３，２４，２５に対してレーザー等によって案内を刻印してもよいし、案内を表示したカード等を収容するポケットを案内表示部３０に配置してもよい。
【００８９】
・開閉体１５，１５Ａ，１５Ｂ，１５Ｃ，１５Ｄが閉位置から開位置に移動するときに、案内表示部３０が設けられた面が水平方向に移動してもよいし、案内表示部３０が設けられた面が下方に移動してもよい。すなわち、開閉体１５，１５Ａ，１５Ｂ，１５Ｃ，１５Ｄが開く方向は上方向に限らず、例えば横開きなど、任意の方向に開くように変更することもできる。さらに、開閉体１５，１５Ａ，１５Ｂ，１５Ｃ，１５Ｄの移動方法は回動に限らず、開閉体１５，１５Ａ，１５Ｂ，１５Ｃ，１５Ｄが筐体部１２，７２に沿ってスライド移動するようにしてもよい。
【００９０】
・上記第１実施形態及び変形例並びに変更例において、記録部１３は、噴射ヘッド１８が往復移動するキャリッジ１６に保持されるシリアル式のプリンターに限らず、噴射ヘッド１８を固定したままでも用紙最大幅範囲の印字が可能なラインヘッド式のプリンターであってもよい。
【００９１】
・上記第１実施形態及び変形例並びに変更例において、噴射ヘッド１８から噴射される液体であるインクの液体供給源１７は、キャリッジ１６に搭載されるカートリッジに限らない。例えば、キャリッジ１６に搭載されるのではなく、筐体部１２内に配置された装着部に固定される液体タンクを液体供給源１７と用いてもよい。あるいは、筐体部１２の外側に配置され、供給チューブを介して噴射ヘッド１８に接続される大容量の液体タンクを液体供給源１７として用いてもよい。
【００９２】
・上記第１実施形態及び変形例並びに変更例において、記録装置は、インク以外の他の流体（液体や、機能材料の粒子が液体に分散又は混合されてなる液状体、ゲルのような流状体、流体として流して噴射できる固体を含む）を噴射したり吐出したりして記録を行う流体噴射装置であってもよい。例えば、液晶ディスプレイ、ＥＬ（エレクトロルミネッセンス）ディスプレイ及び面発光ディスプレイの製造などに用いられる電極材や色材（画素材料）などの材料を分散または溶解のかたちで含む液状体を噴射して記録を行う液状体噴射装置であってもよい。また、ゲル（例えば物理ゲル）などの流状体を噴射する流状体噴射装置、トナーなどの粉体（粉粒体）を例とする固体を噴射する粉粒体噴射装置（例えばトナージェット式記録装置）であってもよい。そして、これらのうちいずれか一種の流体噴射装置に本発明を適用することができる。なお、本明細書において「流体」とは、気体のみからなる流体を含まない概念であり、流体には、例えば液体（無機溶剤、有機溶剤、溶液、液状樹脂、液状金属（金属融液）等を含む）、液状体、流状体、粉粒体（粒体、粉体を含む）などが含まれる。
【００９３】
さらに、上記した各実施形態及び各変形例等から把握される技術的思想を以下に記載する。
（イ）記録領域において記録材を用いて記録を行う記録部と、
前記記録部を収容する筐体部と、
該筐体部に対してヒンジを介して開閉可能に取り付けられる開閉体と、
を備え、
前記開閉体は、閉位置において前記記録領域と対向する内面と、前記ヒンジが設けられる基端面と、前記基端面の反対側に位置する先端面と、前記内面と交差する複数の側面とを有し、
前記開閉体の前記先端面及び前記複数の側面のうち少なくとも１つの面には、案内表示部が設けられることを特徴とする記録装置。
【００９４】
この構成によれば、ヒンジが設けられる基端面とは別の面に設けられた案内表示部は、開閉体が開位置に移動したときに筐体部から離間して、視認しやすい位置に配置される。また、案内表示部は、開閉体の記録領域と対向する内面とは別の面に設けられるので、記録部が記録領域において記録を行う場合にも、記録材が案内表示部に付着しにくい。したがって、開閉体に設けられた案内表示部の視認性の低下を抑制することができる。
【００９５】
この構成を採用する場合には、案内表示部３０を側面２４，２５に設けてもよいし、先端面２３及び側面２４，２５のうちの複数の面に案内表示部３０を設けてもよい。例えば、先端面２３に液体供給源１７の着脱方法についての案内を記載した案内表示部３０を設ける一方、保持機構４６の近くにある側面２５にスタンド４７の解除方法についての案内を記載した案内表示部３０を設けることもできる。
【００９６】
また、開閉体１５を閉位置に配置した場合に先端面２３に設けた案内表示部３０が露出していてもよい。この場合にも、開閉体１５を開位置に移動させることによって案内表示部３０が高い位置に配置されるので、開閉体１５が閉位置にあるときよりも案内表示部３０の視認性をよくすることができる。
【符号の説明】
【００９７】
１１，１１Ａ，１１Ｂ，１１Ｃ…記録装置、１２，７２…筐体部、１３…記録部、１５，１５Ａ，１５Ｂ，１５Ｃ，１５Ｄ…開閉体、２３，６３ａ，６０ａ…先端面（面または側面でもある）、３０…案内表示部、３１…読取機構、３２…収容ケース、３３…原稿台、３５…画像読取部、４４ａ…壁部、４５…操作パネル、４６…保持機構、６１ａ…下面（面）、６２ａ，６２ｂ…外面（面）、６３ｃ…側面（面）、６０ｄ，６３ｄ…押圧部、７０…画像読取装置。
【図１】
2014197049.tif 000003
【図２】
2014197049.tif 000004
【図３】
2014197049.tif 000005
【図４】
2014197049.tif 000006
【図５】
2014197049.tif 000007
【図６】
2014197049.tif 000008
【図７】
2014197049.tif 000009
【図８】
2014197049.tif 000010
【図９】
2014197049.tif 000011
【図１０】
2014197049.tif 000012
【図１１】
2014197049.tif 000013
【図１２】
2014197049.tif 000014
【図１３】
2014197049.tif 000015